(57)【要約】【課題】電池作動式の電気機器において、低コスト化を実現しながら、作動用電池の交換作業や配線作業の作業性を向上することができる技術を提供する。【解決手段】作動用電池Ｂを収容する電池収容空間３１ａを有する本体ケーシング１０を備えた電気機器であって、本体ケーシング１０が、アクセス用開口部１０ａを有すると共に、当該アクセス用開口部１０ａを開閉可能な蓋体２０を備え、本体ケーシング１０内に、電池収容空間３１ａを有する電池収容ケース３０を着脱自在に備え、本体ケーシング１０内に装着された電池収容ケース３０により、本体ケーシング１０の内部空間が、当該内部空間に対するアクセス用開口部１０ａからのアクセス方向に直交して、作動用電池Ｂが収容される電池収容空間３１ａと他の空間Ａ１，Ａ２とに区画される。【選択図】図３
2018041617.tif 000002
【特許請求の範囲】
【請求項１】
作動用電池を収容する電池収容空間を有する本体ケーシングを備えた電気機器であって、
前記本体ケーシングが、アクセス用開口部を有すると共に、当該アクセス用開口部を開閉可能な蓋体を備え、
前記本体ケーシング内に、前記電池収容空間を有する電池収容ケースを着脱自在に備え、
前記本体ケーシング内に装着された前記電池収容ケースにより、前記本体ケーシングの内部空間が、当該内部空間に対する前記アクセス用開口部からのアクセス方向に直交して、前記作動用電池が収容される電池収容空間と他の空間とに区画される電気機器。
【請求項２】
前記蓋体が、制御回路を内蔵すると共に、外面側に前記制御回路により情報表示可能な表示部を設けて構成されている請求項１に記載の電気機器。
【請求項３】
前記他の空間に、前記蓋体に設けられた制御回路に接続される中継コネクタが配置されている請求項２に記載の電気機器。
【請求項４】
前記蓋体で前記アクセス用開口部を閉塞した蓋体装着時において、前記蓋体の背面側カバー部が前記電池収容ケースの前記アクセス用開口部側の縁部に当接する請求項１〜３の何れか１項に記載の電気機器。
【発明の詳細な説明】
【技術分野】
【０００１】
本発明は、作動用電池を収容する電池収容空間を有する本体ケーシングを備えた電気機器に関する。
【背景技術】
【０００２】
作動用電池を電源として利用できる電池作動式の従来の電気機器として、所定の検知対象ガスを検知するガス検知部を備えたガス検知装置が知られている（例えば、特許文献１を参照。）。
このような電池作動式の電気機器は、本体ケーシング内において、作動用電池を収容する電池収容空間と他の空間とが、本体ケーシングと一体的に設けられた隔壁により区画されているのが一般的であり、更に、かかる電池収容空間に対して作動用電池の交換作業を行うための開口部が、他の空間に対して配線作業を行うための開口部とは別に設けることが多い。
【先行技術文献】
【特許文献】
【０００３】
【特許文献１】特開２０１０−１４０３８９号公報
【発明の概要】
【発明が解決しようとする課題】
【０００４】
電池作動式の電気機器において、本体ケーシングと一体的に設けられた隔壁により本体ケーシング内を電池収容空間と他の空間とに区画する場合には、本体ケーシングの内部構造が煩雑なものとなり、コストアップの要因となる。
また、電池収容空間に対して作動用電池の交換作業を行うための開口部と他の空間に対して配線作業を行うための開口部とを各別に設けると、これら夫々の開口部の開口面積を大きくとることが困難となり、夫々の作業性が悪化する場合がある。
【０００５】
この実情に鑑み、本発明の主たる課題は、電池作動式の電気機器において、低コスト化を実現しながら、作動用電池の交換作業や配線作業の作業性を向上することができる技術を提供する点にある。
【課題を解決するための手段】
【０００６】
本発明の第１特徴構成は、作動用電池を収容する電池収容空間を有する本体ケーシングを備えた電気機器であって、
前記本体ケーシングが、アクセス用開口部を有すると共に、当該アクセス用開口部を開閉可能な蓋体を備え、
前記本体ケーシング内に、前記電池収容空間を有する電池収容ケースを着脱自在に備え、
前記本体ケーシング内に装着された前記電池収容ケースにより、前記本体ケーシングの内部空間が、当該内部空間に対する前記アクセス用開口部からのアクセス方向に直交して、前記作動用電池が収容される電池収容空間と他の空間とに区画される点にある。
【０００７】
本構成によれば、本体ケーシングが、蓋体により開閉自在なアクセス用開口部を有するので、本体ケーシングの内部空間に対して、蓋体を取り外したアクセス用開口部を通じてアクセスして、作動用電池の交換作業等の所定の作業を実施することができる。更に、本体ケーシング内において、電池収容空間が、本体ケーシングとは別体の電池収容ケースにより他の空間とは区画された状態で形成されているので、本体ケーシングの内部構造を簡略化して低コスト化を実現することができる。
そして、本体ケーシングの内部空間が、装着された電池収容ケースにより、電池収容空間と他の空間とに区画され、更には、これら電池収容空間及び他の空間が、アクセス用開口部を通じた本体ケーシングの内部空間へのアクセス方向に直交した状態で確保されることになる。このことで、これら電池収容空間及び他の空間に対して、アクセス用開口部を通じて同じ方向からアクセスして、電池収容空間に対する作動用電池の交換作業や他の空間に対する配線作業等を効率よく実施することができる。
従って、本発明により、電池作動式の電気機器において、低コスト化を実現しながら、作動用電池の交換作業や配線作業の作業性を向上する技術を提供することができる。
【０００８】
本発明の第２特徴構成は、前記蓋体が、制御回路を内蔵すると共に、外面側に前記制御回路により情報表示可能な表示部を設けて構成されている点にある。
【０００９】
本構成によれば、アクセス用開口部を開閉可能な蓋体に制御回路が内蔵されているので、当該蓋体を取り外した際の本体ケーシングの内部空間には、制御回路が収容されることなく、広い空間が確保されることになる。また、蓋体の外面側に表示部が配置されているので、本体ケーシングの外面のうち当該蓋体が設けられた面（例えば正面）の略全体に亘ってアクセス用開口部を設けることができる。これらのことで、広いアクセス用開口部を通じて広い本体ケーシングの内部空間である電池収容空間や他の空間に対して、作動用電池の交換作業や配線作業を効率よく実施することができ、作業性を一層向上することができる。
【００１０】
本発明の第３特徴構成は、前記他の空間に、前記蓋体に設けられた制御回路に接続される中継コネクタが配置されている点にある。
【００１１】
本構成によれば、本体ケーシングの内部空間において、電池収容空間と同様にアクセス用開口部に望む他の空間に中継コネクタが配置されることになる。このことで、上記蓋体装着時において、当該蓋体と中継コネクタとの接続作業を容易に実施することができる。よって、接続用の配線等がアクセス用開口部を通じた作動用電池の着脱の妨げとなることを防止することができる。
【００１２】
本発明の第４特徴構成は、前記蓋体で前記アクセス用開口部を閉塞した蓋体装着時において、前記蓋体の背面側カバー部が前記電池収容ケースの前記アクセス用開口部側の縁部に当接する点にある。
【００１３】
本構成によれば、上記蓋体装着時において、蓋体の背面側カバー部が電池収容ケースのアクセス用開口部側の縁部に当接することになる。このことで、電池収容ケースに設けられた電池収容空間と他の空間とを確実に区画して、本体ケーシング内における防爆性を向上することができる。
【図面の簡単な説明】
【００１４】
【図１】ガス検知装置の斜視図
【図２】ガス検知装置の蓋体を取り除いた状態の正面図
【図３】ガス検知装置の側断面図
【図４】本体ケーシングに対するセンサユニット及び通信用コネクタの分解斜視図
【図５】電池収容ケースの正面側の分解斜視図
【図６】電池収容ケースの背面側の斜視図
【図７】電池収容ケースの背面図
【図８】本体ケーシングに対する電池収容ケースの分解斜視図
【図９】本体ケーシングに対する電池収容ケースの分解斜視図
【図１０】本体ケーシングに対する作動用電池の分解斜視図
【図１１】本体ケーシングに対する蓋体の分解斜視図
【図１２】本体ケーシング内の空間区画状態を示す概念側断面図
【発明を実施するための形態】
【００１５】
本発明の実施形態について図面に基づいて説明する。
本実施形態のガス検知装置１００は、図１に示すように、可燃性ガスや毒性ガスなどの所定の検知対象ガスを検知するガス検知部として、定電位電解式センサ等の各種形式のガス検知センサを備えた公知のセンサユニットＵ１を備えており、このセンサユニットＵ１の検知結果を、通信用コネクタＵ２及びその通信用コネクタＵ２に接続される通信装置（図示省略）を通じて別途配置された中央監視システム（図示省略）に出力するものとして構成されている。このようなガス検知装置１００は、例えばプラント施設内で発生するガス漏洩をいち早く発見するために、プラント施設内において極力多くの検知対象領域に夫々設置される。
【００１６】
この種のガス検知装置としては、外部から供給された電力により作動する外部電源作動式に構成されるものもあるが、本実施形態のガス検知装置１００は、内蔵した作動用電池Ｂ（図２参照）から供給される電力により作動する電池作動式の電気機器として構成されている。以下に、この電池作動式のガス検知装置１００の詳細構成について説明する。
【００１７】
ガス検知装置１００は、図１〜３に示すように、作動用電池Ｂ（図８参照）を収容する電池収容空間３１ａを他の空間Ａ１，Ａ２（図３及び図１２参照）と区画した状態で有する防爆構造の本体ケーシング１０、電池収容空間３１ａを有すると共に本体ケーシング１０内に着脱自在に設けられる電池収容ケース３０、及び、本体ケーシング１０のアクセス用開口部１０ａを開閉可能な蓋体２０等で構成されている。以下、夫々の構成部位の詳細について、順に説明する。尚、本願のガス検知装置１００において、表示部２８が配置されている側（図１において右下側）を正面側と呼び、取付プレートＰに取り付けられる側（図１において左上側）を背面側と呼ぶ。
【００１８】
（本体ケーシング）
図１〜４に示すように、本体ケーシング１０は、水平方向に延出する円筒状胴部１３と、その円筒状胴部１３の背面側を塞ぐ底部１４とで構成された有底円筒状の形状を有する。また、その円筒状胴部１３の正面側の縁部は、外周面に後述する蓋体２０の外蓋２１が羅合するネジ部が形成されたリング状の蓋取付部１２として形成されており、その蓋取付部１２により囲まれる円形の開口部が、後述する蓋体２０により開閉可能なアクセス用開口部１０ａとして形成されている。本体ケーシング１０内には、後述する電池収容ケース３０が着脱自在に設けられており、この電池収容ケース３０により、本体ケーシング１０の内部空間が、電池収容空間３１ａと他の空間Ａ１，Ａ２（図３及び図１２参照）とに区画されている。
【００１９】
本体ケーシング１０の上下部には、センサユニットＵ１及び通信用コネクタＵ２が夫々装着されており、センサユニットＵ１のケーブルＵ１ｃ及び通信用コネクタＵ２のケーブルＵ２ｃが本体ケーシング１０内に引き込まれ、夫々のケーブルＵ１ｃ，Ｕ２ｃのプラグＵ１ｐ，Ｕ２ｐが、本体ケーシング１０内に配置された後述のコネクタ４９，５０（図７参照）に夫々接続される。
【００２０】
本体ケーシング１０の左右の側部には、警報ランプなどの外部機器（図示省略）を接続可能な外部機器接続部１５が夫々上下２箇所ずつ設けられている。かかる外部機器接続部１５は、側方に延出する筒状の部位として形成されており、不使用時には蓋部材１６で閉鎖され、使用時には当該蓋部材１６が取り外されて外部機器を接続するための所定の外部機器接続具１７が取り付けられる。また、この外部機器接続具１７に接続した外部機器のケーブル（図示省略）は、外部機器接続部１５を通過して本体ケーシング１０内の外部機器用空間Ａ１ａ（図３及び図１２参照）に引き込まれ、後述の外部機器用コネクタ４２（図２参照）に接続される。
【００２１】
（電池収容ケース）
電池収容ケース３０は、図２，図３，及び図５〜７に示すように、略直方体形状の作動用電池Ｂが収容される電池収容空間３１ａを内部に形成した角筒状胴部３１を有して構成されている。この角筒状胴部３１の一方側（正面側）の開口部が、作動用電池Ｂが通過可能な電池挿入口３０ａとされている。更に、電池収容ケース３０は、図８及び図９に示すように、電池挿入口３０ａが形成された側の端部を正面側に配置すると共に他方側の端部を背面側に配置した姿勢で、蓋体２０が取り外されたアクセス用開口部１０ａを通じて本体ケーシング１０内に挿入される。
即ち、電池収容ケース３０は、図１０に示すように、本体ケーシング１０内に装着された状態で、本体ケーシング１０のアクセス用開口部１０ａを通じて電池収容空間３１ａに作動用電池Ｂを挿入可能な電池挿入口３０ａを有するものとなる。
【００２２】
電池収容ケース３０は、樹脂などの電気絶縁性を有する材料で構成されている。そして、図３及び図１２に示すように、本体ケーシング１０内に収容された電池収容ケース３０により、本体ケーシング１０の内部空間が、当該内部空間に対するアクセス用開口部１０ａからのアクセス方向（アクセス用開口部１０ａの開口面に略直交する方向）に直交して、角筒状胴部３１の内部に形成された電池収容空間３１ａと、角筒状胴部３１の外部に形成された他の空間Ａ１，Ａ２とに、電気絶縁性を維持した状態で区画されることになる。即ち、電池収容ケース３０における電池収容空間３１ａの周壁部である角筒状胴部３１が、電池収容空間３１ａを、その外側に形成される他の空間Ａ１，Ａ２（図３及び図１２参照）に対して、電気絶縁性を維持した状態で区画する絶縁壁体として機能することになる。
【００２３】
即ち、電池収容空間３１ａが、各種ケーブル（配線）等が収容される他の空間Ａ１，Ａ２に対して電気絶縁性を維持した状態で区画されることで、本体ケーシング１０内の防爆構造が実現されている。更に、図４に示すように、電池収容ケース３０が収容される前の本体ケーシング１０内には、樹脂などの電気絶縁性を有する材料で構成されている絶縁用底板３７が装着される。即ち、本体ケーシング１０内において、本体ケーシング１０の底部１４と電池収容ケース３０の背面側端部とが、この絶縁用底板３７により電気絶縁性を維持した状態で区画されることになる。
【００２４】
図１０に示すように、本体ケーシング１０内に電池収容ケース３０を装着した状態で、本体ケーシング１０の正面側に設けられたアクセス用開口部１０ａ及び電池収容ケース３０の電池挿入口３０ａを通じて作動用電池Ｂを電池収容空間３１ａに着脱自在となる。更に、図８及び図９に示すように、電池収容ケース３０についても、本体ケーシング１０の正面側に設けられたアクセス用開口部１０ａを通じて着脱自在となる。このことで、本体ケーシング１０内に対する電池収容ケース３０の着脱作業、電池収容空間３１ａに対する作動用電池Ｂの交換作業、更には、他の空間Ａ１，Ａ２に対する配線作業等を行う作業者は、本体ケーシング１０の背面側に回り込むことなく、本体ケーシング１０の正面側において、蓋体２０を取り外したアクセス用開口部１０ａを通じて同じ方向で本体ケーシング１０内にアクセスして、安定した体勢で効率良く作業を実施することができるようになる。
【００２５】
図５〜７に示すように、電池収容ケース３０の角筒状胴部３１の上面部には、基板取付部３３が上方に向けて立設されており、その基板取付部３３の正面側には、外部機器用基板４１がビス固定される。
同様に、電池収容ケース３０の角筒状胴部３１の下面部には、基板取付部３４が下方に向けて立設されており、その基板取付部３３の正面側には、中継コネクタ用基板４５がビス固定される。
そして、夫々の基板４１，４５が固定された基板取付部３３，３４の外周縁部の形状は、図２に示すように、本体ケーシング１０の円筒状胴部１３の内壁面に沿った形状とされており、これにより、電池収容ケース３０を本体ケーシング１０内に装着した状態において、これら基板取付部３３，３４が、本体ケーシング１０の円筒状胴部１３に内嵌されることになる。そして、これら基板取付部３３，３４は、図３及び図１２に示すように、本体ケーシング１０の内部空間のうち、電池収容ケース３０により電池収容空間３１ａに対して区画された他の空間Ａ１，Ａ２を、正面側のアクセス用開口部１０ａ側に臨み当該アクセス用開口部１０ａを通じて直接的にアクセス可能なアクセス空間Ａ１と、アクセス用開口部１０ａを通じたアクセスが禁止される背面側の配線収容空間Ａ２とに区画する区画体として機能する。また、これら基板４１，４５の正面側は電気絶縁性の絶縁プレート４４，５１で覆われており、このことで、上述した本体ケーシング１０の内部空間の区画を、電気絶縁性を維持した状態で行うことができる。
【００２６】
上記アクセス空間Ａ１のうちの基板取付部３３の正面側に位置する空間は、アクセス用開口部１０ａ及び外部機器接続部１５に連通すると共に、当該外部機器接続部１５を通じて外部機器のケーブルが引き込まれる外部機器用空間Ａ１ａとされている。即ち、上記区画体として機能する基板取付部３３を有する電池収容ケース３０により、本体ケーシング１０の内部空間が、角筒状胴部３１により区画された電池収容空間３１ａと配線収容空間Ａ２とからなる常設機器用空間と、上記アクセス空間Ａ１のうちの外部機器との配線が収容される外部機器用空間Ａ１ａとに区画されることになる。この構成により、アクセス用開口部１０ａを通じて外部機器用空間Ａ１ａにアクセスして外部機器の接続のための配線作業を行うにあたり、誤って電池収容空間３１ａや配線収容空間Ａ２にアクセスすることが抑制され、その誤ったアクセスによる常設機器への悪影響が回避されている。
【００２７】
基板取付部３３に固定された外部機器用基板４１の正面側には、図５及び図９に示すように、外部機器用空間Ａ１ａに引き込まれた外部機器のケーブルが接続されて当該外部機器に作動用信号を出力するための外部機器用コネクタ４２が配置されている。
一方、外部機器用基板４１の背面側には、図６及び図７に示すように、配線収容空間Ａ２（図３及び図１２参照）に敷設される外部機器用中継ケーブル５５の一方側のプラグ５５ｐが接続される外部機器用中継コネクタ４３が配置されている。
【００２８】
基板取付部３４に固定された中継コネクタ用基板４５の正面側（アクセス空間Ａ１側）には、図５及び図８に示すように、蓋体２０に内蔵された制御回路２７（図１１参照）に接続される制御回路用中継コネクタ４６（中継コネクタの一例）と、作動用電池Ｂの電源ケーブルＢｃのプラグＢｐ（図１０参照）が接続される電源コネクタ４７とが配置されている。
そして、制御回路用中継コネクタ４６は、蓋体２０で本体ケーシング１０のアクセス用開口部１０ａを閉塞した蓋体装着時において、当該蓋体２０と制御回路用中継コネクタ４６との接続を自動的に行うものとして構成されている。この構成により、接続用の配線等がアクセス用開口部１０ａを通じた作動用電池Ｂの着脱の妨げとなることが防止されている。
【００２９】
一方、中継コネクタ用基板４５の背面側には、図６及び図７に示すように、配線収容空間Ａ２（図３及び図１２参照）に敷設される外部機器用中継ケーブル５５の他方側のプラグ５５ｐが接続される外部機器用中継コネクタ４８と、配線収容空間Ａ２（図３及び図１２参照）に引き込まれたセンサユニットＵ１のプラグＵ１ｐが接続されるセンサユニット用中継コネクタ４９と、配線収容空間Ａ２（図３及び図１２参照）に引き込まれた通信用コネクタＵ２のプラグＵ２ｐ（図１２参照）が接続される通信用中継コネクタ５０とが配置されている。
【００３０】
上記のように外部機器用基板４１及び中継コネクタ用基板４５に各種コネクタを配置すると共に、それらに各種ケーブルを接続することにより、センサユニットＵ１及び通信用コネクタＵ２並びに外部機器に対して、制御回路２７による制御信号の授受や作動用電池Ｂによる電力供給が可能となる。
【００３１】
図８に示すように、電池収容ケース３０の角筒状胴部３１の左側において、配線収容空間Ａ２（図３及び図１２参照）に臨ませる外側面である他空間側面には、外部機器用中継ケーブル５５を所定の保持姿勢で保持するための配線ガイド３５が設けられている。一方、図９に示すように、電池収容ケース３０の角筒状胴部３１の右側において、配線収容空間Ａ２（図３参照）に臨ませる外側面である他空間側面には、通信用コネクタＵ２のケーブルＵ２ｃを所定の保持姿勢で保持するための配線ガイド３６が設けられている。
【００３２】
更に、基板取付部３３の背面側には、別の配線ガイド３９が後方に向けて突出形成されており、この配線ガイド３９には、ケーブルＵ２ｃにおける配線ガイド３６よりも通信用コネクタＵ２側の部位が、角筒状胴部３１の外側面に沿った姿勢で保持される。また、基板取付部３３には、通信用コネクタＵ２から配線収容空間Ａ２に引き込まれたケーブルＵ２ｃが、配線ガイド３６，３９側とは反対側に撓むことを防止するための案内壁３８が設けられており、これら配線ガイド３６，３９及び案内壁３９により、ケーブルＵ２ｃは、電池収容ケース３０の角筒状胴部３１の外周面に沿った適切な姿勢で保持されることになる。
尚、配線ガイド３５，３６，３９は、電池収容ケース３０の角筒状胴部３１の外周面との間に凹部を形成し、当該凹部に各種ケーブル５５，Ｕ２ｃを嵌め込んで挟持させるように構成されている。
【００３３】
即ち、本実施形態のガス検知装置１００の組立方法において、図８及び図９に示すように、本体ケーシング１０内にアクセス用開口部１０ａを通じて電池収容ケース３０を装着するにあたり、本体ケーシング１０内に電池収容ケース３０を装着する工程では、電池収容ケース３０の装着前に予め、絶縁壁体として機能する電池収容ケース３０の角筒状胴部３１の外周面のうちの背面側の配線収容空間Ａ２（図３及び図１２参照）に臨ませる他空間側面に、配線としての外部機器用中継ケーブル５５を配線ガイド３５に保持させると共に、配線としての通信用コネクタＵ２のケーブルＵ２ｃを配線ガイド３６，３９に保持させる。このことで、これらケーブル５５，Ｕ２ｃが電池収容ケース３０の先端部（背面側の端部）と本体ケーシング１０の内壁部との間へ噛み込むことが抑制され、当該噛み込みによる電池収容空間３１ａと他の空間Ａ１，Ａ２（図３及び図１２参照）との絶縁不良等が抑制されている。
【００３４】
また、本体ケーシング１０内に収容された電池収容ケース３０のアクセス用開口部１０ａ側（正面側）の縁部３０ｂの四隅には、後述する内蓋ユニット２４をネジ固定するための台座部３２が夫々設けられている。また、これら台座部３２は、背面側から正面側に向かう水平方向に延出した棒状部位で構成されており、電池収容ケース３０を本体ケーシング１０内に装着した状態において、その外周面が本体ケーシング１０の円筒状胴部１３の内壁面に近接配置される。これら電池収容ケース３０の四隅に配置された台座部３２により、円筒状胴部１３の内壁面に沿った周方向において、基板取付部３３，３４の正面側に形成されたアクセス用空間Ａ１が複数の空間に区画されることになり、例えば、上方側の外部機器用空間Ａ１ａが、下方側の他のアクセス用空間Ａ１に対して好適に区画されることになる。
【００３５】
（蓋体）
蓋体２０は、図１，図３，及び図１１に示すように、本体ケーシング１０のアクセス用開口部１０ａに内嵌した状態で本体ケーシング１０内に収容された電池収容ケース３０の台座部３２にネジ固定される内蓋ユニット２４と、アクセス用開口部１０ａを覆う状態で本体ケーシング１０に固定される外蓋２１とで構成されている。
【００３６】
内蓋ユニット２４は、正面側カバー部２５と背面側カバー部２６とで全体が覆われた構造を有しており、内部には作動制御を行うための制御回路２７が内蔵されている。このことで、本体ケーシング１０内では制御回路２７の設置場所を省略することができて広い空間が確保されている。
また、内蓋ユニット２４の正面側カバー部２５の正面側（外面側）には、センサユニットＵ１による検知結果や各種作動状態等の情報表示可能な表示部２８や、運転状態の切替等を行うための操作スイッチ２９等が配置されている。この構成により、これら表示部２８等を本体ケーシング１０の正面側に配置する必要がないので、当該本体ケーシング１０の正面の略全体に亘って広いアクセス用開口部１０ａが形成されている。
【００３７】
一方、内蓋ユニット２４の背面側カバー部２６には、当該内蓋ユニット２４をアクセス用開口部１０ａに内嵌した状態において、本体ケーシング１０内に設けられた制御回路用中継コネクタ４６に接続される蓋側端子部（図示省略）が配置されている。
【００３８】
外蓋２１は、本体ケーシング１０の蓋取付部１２の外周面に形成されたねじ部に羅合するリング状の外枠部２２と、その外枠部２２の内側開口を塞ぐ透明ガラス製の窓部２３とで構成されている。そして、図１１に示すように、蓋体２０を本体ケーシング１０のアクセス用開口部１０ａに装着するにあたり、先ずは内蓋ユニット２４を本体ケーシング１０のアクセス用開口部１０ａに内嵌させた状態でネジ固定し、次に外蓋２１を蓋取付部１２に羅合固定することで、内蓋ユニット２４の表示部２８等が本体ケーシング１０の正面側から窓部２３を通じて視認可能な状態で、本体ケーシング１０の内部空間が、ガス検知装置１００が設置された外部環境空間に対して区画された密閉状態となる。
【００３９】
更に、図３，図１１，及び図１２に示すように、蓋体２０で本体ケーシング１０のアクセス用開口部１０ａを閉塞した蓋体装着時において、電池収容ケース３０の電池挿入口３０ａの縁部３０ｂ（言い換えれば電池収容ケース３０のアクセス用開口部１０ａ側の縁部３０ｂ）が、蓋体２０の背面側カバー部２６に当接する。
即ち、本実施形態のガス検知装置１００の組立方法において、電池収容ケース３０を本体ケーシング１０内に装着した後に、蓋体２０でアクセス用開口部１０ａを閉塞して、当該蓋体の背面側カバー部２６を、電池収容ケース３０のアクセス用開口部１０ａ側の縁部３０ｂに当接させることで、本体ケーシング１０の内部空間は、電池収容ケース３０に設けられた電池収容空間３１ａと他の空間Ａ１，Ａ２とに確実に区画されることになって防爆性が向上する。
【００４０】
〔別実施形態〕
（１）上記実施形態では、本発明に係る電気機器を、ガス検知部を備えた電池作動式のガス検知装置に適用した例を説明したが、かかるガス検知装置以外にも、他の電池作動式の電気機器にも適用可能である。
【００４１】
（２）上記実施形態では、蓋体２０を、制御回路２７を内蔵すると共に外面側（正面側）に制御回路２７により情報表示可能な表示部２８を設けたものとして構成したが、これら制御回路２７及び表示部２８を本体ケーシング１０等の蓋体２０以外の部位に設けても構わない。
【００４２】
（３）上記実施形態では、電池収容ケース３０における中継コネクタ用基板４５のアクセス空間Ａ１側に、蓋体２０に内蔵された制御回路２７に接続される制御回路用中継コネクタ４６を設けたが、電池収容ケース３０又は他のアクセス空間Ａ１側の他の部位に制御回路用中継コネクタ４６を配置しても構わない。また、このような制御回路用中継コネクタ４６を省略し、制御回路２７と各制御対象部位を配線等で直接接続するように構成しても構わない。
【００４３】
（４）上記実施形態では、蓋体２０でアクセス用開口部１０ａを閉塞した蓋体装着時において、本体ケーシング１０の内部空間を電池収容空間３１ａと他の空間Ａ１，Ａ２とに確実に区画するために、蓋体２０の背面側カバー部２６を電池収容ケース３０の電池挿入口３０ａ側の縁部に当接させるように構成したが、必要最小限の空間の区画を実現できる範囲において、蓋体２０の背面側カバー部２６への電池収容ケース３０の縁部の当接を簡略化又は省略しても構わない。また、背面側カバー部２６に対する電池収容ケース３０の縁部の当接は、直接的なものでなくても良く、例えば、隙間にシール部材等を介在させて当接するように構成しても構わない。
【符号の説明】
【００４４】
１０    本体ケーシング
１０ａ  アクセス用開口部
１５    外部機器接続部
２０    蓋体
２６    背面側カバー部
２７    制御回路
２８    表示部
３０    電池収容ケース
３１    角筒状胴部（絶縁壁体）
３０ａ  電池挿入口
３０ｂ  縁部
３１ａ  電池収容空間（常設機器用空間）
３３    基板取付部（区画体）
３４    基板取付部（区画体）
３５    配線ガイド
３６    配線ガイド
４６    制御回路用中継コネクタ（中継コネクタ）
５５    外部機器用中継ケーブル（配線）
１００  ガス検知装置（電気機器）
Ａ１    アクセス空間（他の空間）
Ａ１ａ  外部機器用空間（他の空間）
Ａ２    配線収容空間（他の空間、常設機器用空間）
Ｂ      作動用電池
Ｕ１    センサユニット（ガス検知部）
Ｕ１ｃ  ケーブル（配線）
Ｕ２ｃ  ケーブル（配線）
【図１】
2018041617.tif 000003
【図２】
2018041617.tif 000004
【図３】
2018041617.tif 000005
【図４】
2018041617.tif 000006
【図５】
2018041617.tif 000007
【図６】
2018041617.tif 000008
【図７】
2018041617.tif 000009
【図８】
2018041617.tif 000010
【図９】
2018041617.tif 000011
【図１０】
2018041617.tif 000012
【図１１】
2018041617.tif 000013
【図１２】
2018041617.tif 000014